(57)【特許請求の範囲】
【請求項１】
ａ）上壁（３０）と下壁（２０）とをもつ泡状材料のブロックで形成されたハウジング（１０）と、ダイアル式押しボタンのマトリックス（１６）をもつ電気機械的モジュール（３２）と、前記モジュール（３２）に電気的に接続されたスピーカー（３６）及びマイクロホン（３８）と、前記モジュール（３２）、スピーカー（３６）及びマイクロホン（３８）を受容するために前記ブロック内部に位置する空所（２８）とからなり、
ｂ）前記の各押しボタンは頂部の作動面を有し、
ｃ）前記ブロックの上壁（３０）は前記空所（２８）及び前記モジュール（３２）の上に位置し、
ｄ）前記マイクロホンへの及び前記スピーカーからの音の伝達を改良するために、前記上壁は、前記押しボタンのマトリックスの動作を許す手段を有し、かつ上壁の開口は、前記マイクロホン及びスピーカーとそれぞれ並び、
ｅ）前記の上壁に取り付けられた第１及び第２のブロックは、前記のマイクロホン及びスピーカー用の開口の上方にそれぞれ位置し、
ｆ）前記ブロックの開口は、音がこれを通って、前記マイクロホン及びスピーカーならびに使用者にそれぞれ伝達されるようになされていることを特徴とする電話機。
【請求項２】
前記ブロックが多数の泡の層で形成され、前記層の外側の一つが前記上壁を形成する、請求項１の電話機。
【請求項３】
前記上壁（３０）が弾性構造で、かつ前記押しボタンの頂部表面がおよそ前記下壁（２０）の内面に向き、これによって、前記頂部作動面の一つの位置において前記上壁（３０）に加わる圧力が、対応する押しボタン素子（４２）を作動させるようになっている請求項１の電話機。
【請求項４】
さらに前記モジュールを固定するために第２ハウジング（５２）を有し、第２ハウジングの寸法は前記空所（２８）に嵌合するようになっている請求項１または請求項２の電話機。
【請求項５】
さらに前記マトリックス（１６）と並ぶように前記上壁（３０）に取り付けられた平面状の可撓性の層（４６）を有し、前記層（４６）は、前記上壁（３０）の下方の前記の頂部作動面の位置を識別する表示手段を有する請求項３の電話機。
【発明の詳細な説明】
【０００１】
【産業上の利用分野】
本発明は改良された電気装置とくに電話機に関する。
【０００２】
【従来の技術】
従来の電話機の代表的製法は標準的外観を有する装置の製法に関するものである。回路の設計がたえず改良されるので、電話機に要求される回路を小型化し、装置を小型化することができるようになった。従来の設計上の制限がなくなり、従来の設計では電気技術の進歩に対応する小型化に応じることができなくなっている。
【０００３】
【発明が解決しようとする課題】
本発明の目的は、各種の外観の変化に応じることができ、しかも新規で、安価に製造できるばかりでなく、魅力的な外観と感覚を与えることのできる、電話機の構造を提供することにある。
【０００４】
【課題を解決するための手段】
本発明は、丈夫で弾力性をもつ材料からなる押しボタン式電話機ハウジングからなり、電話機の電気機械的構成要素を覆うハウジングは剛性の泡状材料で形成されている。
【０００５】
ａ）本発明による電話機は、上壁と下壁とをもつ泡状材料のブロックで形成されたハウジングと、ダイアル式押しボタンのマトリックスをもつ電気機械的モジュールと、前記モジュールに電気的に接続されたスピーカー及びマイクロホンと、前記モジュール、スピーカー及びマイクロホンを受容するために前記ブロック内部に位置する空所とからなり、ｂ）前記の各押しボタンは頂部の作動面を有し、ｃ）前記ブロックの上壁は前記空所及び前記モジュールの上に位置し、ｄ）前記マイクロホンへの及び前記スピーカーからの音の伝達を改良するために、前記上壁は、前記押しボタンのマトリックスの動作を許す手段を有し、かつ上壁の開口は、前記マイクロホン及びスピーカーとそれぞれ並び、ｅ）前記の上壁に取り付けられた第１及び第２のブロックは、前記のマイクロホン及びスピーカー用の開口の上方にそれぞれ位置し、ｆ）前記ブロックの開口は、音がこれを通って、前記マイクロホン及びスピーカーならびに使用者にそれぞれ伝達されるようになされている。
【０００６】
ブロックは多数の泡状合成樹脂で形成されている。上壁は弾性構造で、かつ押しボタンの上部表面はおよそ下壁の内面に向き、これによって、上部作動面の一つの位置上において上壁に加わる圧力が、対応する押しボタン素子を作動させるようになっている。
そして、マトリックスと重なるように上壁に取り付けられた平面状の可撓性の層を有し、の平面状の層は、上壁の下方の押しボタン素子の上部作動面を識別する表示手段を有している。
【０００７】
さらに第２ハウジングを配置し、そこにモジュールを固定することができる。第２ハウジングの寸法は空所に嵌合するようになっている。
【０００８】
一実施例において、ハウジングの上壁は押しボタン式ダイアルのマトリックスを構成するが、他の実施例において、別個の押しボタン装置は、壁の上面を貫通している。ハウジングを２片に構成することができ、その際、側壁及び下壁は、内部に空所を有する第１素子として構成され、空所に電気機械的構成素子を納めた後に、上壁が第１素子に結合される。
【０００９】
またはハウジングを層状に構成することができる。層状構成すると、共存する異種の材料を使用することができるので、所期の構成の範囲内で性能を改善することができる。層状構成の場合も、電気機械的構成素子を納めるための内部空所を設けることができる。
ハウジング内の電気機械的素子を空所内に直接に配置することができ、または素子を丈夫な外被で囲い、次にこれを空所内に直接に配置することができる。
【００１０】
【実施例】
図１−図３において、電話機は従来の普通の寸法で、一般的に矩形の細長いハウジング１０を有し、ハウジングの一端に受話器１２、他端に送話器１４、中央に押しボタンのマトリックス１６を有する。ケーブル１８はハウジングの外側から出て、電話機を外線に接続している。
【００１１】
従来の電話機の構成と反対に、ハウジング１０は剛性の合成樹脂の類で構成されず、エチール／ビニール／アセテート（ｅｖａ）／コポリマー組成物のような閉鎖された室状の泡を有する材料で形成されている。
図２において、ハウジング１０はこの種の泡状材料の多数のラミネートまたは層からなり、ハウジングの下壁２０は第１層であるが、その次の中間層すなわち素子２２、２４、２６はフレーム状構造で、周辺部は中央の窓を囲んでいる。フレーム素子を正確に積み重ねるとハウジングの側壁ができ、同時に内部空所２８が形成される。この空所に電気的機械的構成要素が納められている。
【００１２】
上層３０は電話機の上壁をなし、空所を封じている。超音波、接着剤などの公知の適当な手段でラミネートを結合してブロックの形状にする。各層の厚みは同一でも異なってもよく、外観に応じて変化を与えてもよいが、この間に電気機械的構成素子を収納するための空所が形成される。例えば図４に示すように、電話機の外部を著しく変化させることができ、構成素子をたとえば型成形することができるので、設計者の好みに応じて変化させることができる。各層の色や外観を変えることもできる。
【００１３】
電気機械的モジュール３２は空所２８内部に取り付けられ、ケーブル１８に接続されている。ケーブルは側壁の窓からハウジングに入り、その端には公知のジャックまたはコネクターが接続されている。一実施例において、各モジュール素子は、公知のように、プリントされた回路板３４に接続されている。回路板はスピーカー３６及びマイクロホン３８を囲み、その反対の端においてスピーカー及びマイクロホンによって支えられている。スピーカー及びマイクロホンは回路板３４の適当な寸法をもつ窓を通って伸びている。スピーカー及びマイクロホンの高さは空所２８の深さに合うようになっている。スピーカー及びマイクロホンを接着剤の類で下壁層２０に結合して、モジュール素子の位置を固定することができる。音声エネルギ−の移動を良好にするために、一つ以上の窓をスピーカー及びマイクロホンに平行に上壁層３０に設けてもよい。スピーカー及びマイクロホンを覆う上壁部分を同様に一対の有孔素子４０を設けることができる。
【００１４】
モジュール３２は押しボタン素子４２のマトリックスを有している。マトリックスの動作によって、公知のように、ダイアル用その他の用途の音声またはパルスを発生する。これらの押しボタン素子４２は公知の構成でよく、空所に配置されているので、図３において、その頂部は上壁層３０の下面４４に接触している。上壁層は弾性をもつので、押しボタン上の一点を指で押さえると、ボタンを充分に押し下げるので、ダイアル用等の用途に応じることができる。
【００１５】
上壁層３０は、押しボタンのあるハウジングの一部をなし、その中央部に続いているので、押しボタン素子を周囲のほこりや湿気から保護し、かつ新規の構造及び外観を与える。
【００１６】
頂部にある押しボタンの位置を表すために、直接に上層壁３０の外面に適当な表示をするか、または上層壁３０を薄層４６で適当に被覆することができる。この薄層４６を泡状材料または合成樹脂、金属処理した合成樹脂、織物などの適当な弾性材料で形成してもよい。所望により、たとえば音声とダイアルの操作を切り替える公知のスライド・スイッチ５０のために、上層壁３０とダイアル層４６とを通る窓４８を設けてもよい。またはスライド・スイッチ５０に代えて、押すと作動するトグルスイッチをマトリックスの押しボタンに同様に配置してもよい。
【００１７】
実施例において、スイッチ５０は、公知の手動装置を受台から持ち上げる場合に生じる切り替えに用いられているので、電話機がどの方向に向いていても使用できる。
【００１８】
図５に示された他の実施例において、モジュール３２は副ハウジング５２に納められている。スピーカー及びマイクロホン素子３６、３８の全体は副ハウジングの外にあってもよく、または図示されたように、公知のごとく、副ハウジングの中に配置されてもよい。押しボタンのマトリックス４２は副ハウジングの表面５４を通って突出している。実用的には、副ハウジングは合成樹脂のような軽い剛性の材料で作られている。副ハウジングの寸法は、それが空所２８にきちんと嵌合するように、そして押しボタンのマトリックス４２がハウジングの外部のボタンの表示に並ぶように選ばれている。副ハウジングは空所の縁と摩擦して密着してもよく、図示された副ハウジング５２は泡状材料からなっている。または副ハウジングを適当な接着剤などの材料で固定してもよい。副ハウジングの使用によって、モジュール３２をさらに保護することができ、しかも電話機の構造によって得られた弾力性を維持することができる。
【００１９】
【発明の効果】
本発明により提供される電話機は、軽量で、丈夫で、外観を大きく変えることができ、優れた美観を与えるものである。
【図面の簡単な説明】
【図１】電話機の上面図である。
【図２】図１の線２−２における断面図である。
【図３】ダイアル部分の断面図である。
【図４】他の実施例の斜視図である。
【図５】電気機械的構成素子を副ハウジングに納めた実施例の側部断面図である。
【符号の説明】
１０  ハウジング
１２  受話器
１４  送話器
１６  マトリックス
１８  ケーブル
２０  下壁
２２  素子
２４  素子
２６  素子
２８  空所
３０  上壁
３２  モジュール
３４  回路板
３６  スピーカー
３８  マイクロホン
４０  有孔素子
４２  押しボタン素子
４４  下面
４６  薄層
４８  窓
５０  スイッチ
５２  副ハウジング
５４  表面
【図１】
0003710145.tif 000002
【図２】
0003710145.tif 000003
【図３】
0003710145.tif 000004
【図４】
0003710145.tif 000005
【図５】
0003710145.tif 000006